(57)【要約】      （修正有）【課題】フォーカスキャリブレーションにおいて、使用レンズに合わせた被写体距離を決定し、高精度ピント補正値を得るための操作方法を表示する撮像装置を提供する。【解決手段】撮影光学系１０を通った光により形成された一対の像を光電変換して像信号を生成する焦点検出手段２２と、位相差検出方式により焦点状態を検出し、フォーカスレンズ１０ａを移動させる第１の合焦位置を算出するフォーカス制御手段４０と、コントラスト検出方式により第２の合焦位置を検出し、該第２の合焦位置と第１の合焦位置との差に基づいて第１の合焦位置を補正するキャリブレーション手段４０と、像信号に関する情報を用いて、焦点状態の信頼度を判定する信頼度判定手段４０とを有し、前記コントラスト検出を行う前に、レンズ光学規定置と、焦点距離と、フォーカスレンズの停止位置情報によって、被写体および被写体距離を決定する操作方法を背面モニタ４３に表示する。【選択図】図５
2013231883.tif 000002
【特許請求の範囲】
【請求項１】
撮影光学系（１０）により形成された被写体像を光電変換して画像信号を生成する撮像系（２４）と、被写体から前記撮影光学系を通って入射した光により形成された一対の像を光電変換して一対の像信号を生成する焦点検出手段（２２）と、
前記一対の像信号を用いた位相差検出方式により前記撮影光学系の焦点状態を検出し、該焦点状態に応じて前記撮影光学系に含まれるフォーカスレンズ（１０ａ）を移動させる第１の合焦位置を算出するレンズ制御手段（１３）と、
前記画像信号を用いたコントラスト検出方式により前記フォーカスレンズ（１０ａ）の第２の合焦位置を検出し、該第２の合焦位置と前記第１の合焦位置との差に基づいて前記第１の合焦位置を補正するフォーカスキャリブレーションを行うキャリブレーション手段（４０、４１）と被写体像を表示するための表示手段（４３）を有する撮像装置において、
前記撮影光学系からの焦点距離情報やフォーカス距離情報を含むレンズ情報と、光学設計距離に基づき、被写体の距離情報を算出する手段（４０）と、
前記表示手段（４３）に、前記被写体の距離情報に基づいて、フォーカスレンズ（１０ａ）の停止位置を決定し、ユーザーが前記フォーカスレンズ停止状態で、被写体までの距離を変更することで、被写体に対しピント合わせを行う操作方法を表示することを特徴とする撮像装置。
【請求項２】
前記表示手段（４３）において、被写体のピント確認を行う時、表示倍率を制御することを特徴とする請求項１に記載の撮像装置。
【請求項３】
前記被写体距離におけるフォーカスレンズ（１０ａ）の停止位置を決定する時、フォーカスレンズ（１０ａ）の停止位置誤差を検出する手段（４０）を有する請求項１に記載の撮像装置。
【請求項４】
前記被写体距離において、フォーカスキャリブレーションによるピント補正値に、前記撮像装置内で得られる各種情報を記憶できる請求項１に記載の撮像装置。
【発明の詳細な説明】
【技術分野】
【０００１】
本発明は、位相差検出方式により得られた合焦位置をコントラスト検出方式により検出された合焦位置に基づいて補正するフォーカスキャリブレーション機能を有する撮像装置に関する。
【背景技術】
【０００２】
位相差検出方式によるフォーカス制御（オートフォーカス：ＡＦ）により合焦状態を得るカメラや交換レンズでは、それらの使用回数の増加に伴い、ＡＦに関連する機構や部材にガタが発生し、その結果、合焦精度が低下するおそれがある。例えば、交換レンズにおいては、フォーカスレンズが、これを移動させる機構に発生したガタによって、算出された合焦位置に正しく移動されない場合がある。また、カメラにおいては、交換レンズからの光を位相差検出用のＡＦセンサに向けて反射するミラーの角度が、該ミラーの駆動回数の増加に伴って変化していく。これにより、ＡＦセンサへの光の入射の仕方が変化し、該ＡＦセンサからの出力に基づいて算出される合焦位置が、正しい合焦位置からずれる場合がある。この場合、フォーカスレンズが、正しい合焦位置からずれた合焦位置に移動するため、合焦精度が低下する。
【０００３】
これらの場合、合焦精度を元の良好な精度に戻すには、ユーザがカメラや交換レンズをサービスセンターに持ち込んで合焦位置の再調整を依頼したり、特許文献１にて開示された撮像装置では、テストモードにおいて、位相差ＡＦ検出用のＡＦセンサと撮影画像を生成するためのイメージセンサ（撮像素子）のそれぞれから焦点状態に関するデータを得るとともに、これらデータの相対ずれ量（差）を記憶する。そして、撮影モードにおいて、記憶された相対ずれ量に基づいてフォーカスレンズを移動させる。
【０００４】
また、特許文献２にて開示された撮像装置では、補正値算出モードにおいて、被写体状態識別手段の結果に基づき、合焦補正の算出と記憶を行い、適正な補正が行えないと判定した場合は、警告表示等の情報提供を行う。
【０００５】
その他、特許文献３には、被写体距離情報を検出し、被写体画像及び距離情報を付加したグラフ表示を行い、直感的な操作手段により、フォーカス変更及び絞り調節を行う。
【先行技術文献】
【特許文献】
【０００６】
【特許文献１】特開２００６−２０８７８３号公報
【特許文献２】特開２００７−２８６４３８号公報
【特許文献３】特開２０１０−９３４２２号公報
【発明の概要】
【発明が解決しようとする課題】
【０００７】
しかしながら、特許文献１にて開示された撮像装置では、被写体状態識別手段の判定によって、適正な合焦補正を行えないと判定した場合は、合焦精度が低下したままの状態で撮影を継続、または使用を中止し、前記のようにサービスセンターへ持ち込んで合焦精度調整を行ってもらう必要がある。
【０００８】
また、特許文献２にて開示された撮像装置では、位相差検出方式により算出された合焦位置とコントラスト検出方式により検出された合焦位置との差から信頼度の情報を得ている。このため、位相差検出方式により得られた合焦位置そのものの信頼度が低い場合でも、警告が出力されなかったり、該差をフォーカスキャリブレーション用の補正値として使用したりする可能性がある。
【０００９】
そして、特許文献３にて開示された撮像装置では、通常撮影時においてフォーカスが合っている被写体までの距離情報の検出と表示、更に前記状態からのフォーカス変更と絞り調節を行うものであり、撮影に使用するレンズにおいて、最も解像度の高い被写体距離ではない可能性がある。
【００１０】
本発明は、フォーカスキャリブレーションによるピント補正モードにおいて、使用するレンズ情報と、レンズ設計上の光学基準距離と、現状のフォーカスレンズの停止位置誤差などから被写体距離を算出することで、現在の状態において高精度なフォーカスキャリブレーションによるピント補正値を取得するための被写体距離に関する表示を提供する。
【課題を解決するための手段】
【００１１】
撮影光学系（１０）により形成された被写体像を光電変換して画像信号を生成する撮像系（２４）と、被写体から前記撮影光学系を通って入射した光により形成された一対の像を光電変換して一対の像信号を生成する焦点検出手段（２２）と、
前記一対の像信号を用いた位相差検出方式により前記撮影光学系の焦点状態を検出し、該焦点状態に応じて前記撮影光学系に含まれるフォーカスレンズ（１０ａ）を移動させる第１の合焦位置を算出するレンズ制御手段（１３）と、
前記画像信号を用いたコントラスト検出方式により前記フォーカスレンズ（１０ａ）の第２の合焦位置を検出し、該第２の合焦位置と前記第１の合焦位置との差に基づいて前記第１の合焦位置を補正するフォーカスキャリブレーションを行うキャリブレーション手段（４０、４１）と被写体像を表示するための表示手段（４３）を有する撮像装置において、
前記撮影光学系からの焦点距離情報やフォーカス距離情報を含むレンズ情報と、光学設計距離に基づき、被写体の距離情報を算出する手段（４０）と、
前記表示手段（４３）に、前記被写体の距離情報に基づいて、フォーカスレンズ（１０ａ）の停止位置を決定し、ユーザーが前記フォーカスレンズ停止状態で、被写体までの距離を変更することで、被写体に対しピント合わせを行う操作方法を表示することを特徴とする撮像装置。
【発明の効果】
【００１２】
本発明によれば、当該レンズで高精度の被写体距離を決定し、前記被写体距離にてピント合わせを行う操作表示を提供することで、高精度なピント補正値が得られるフォーカスキャリブレーションを行うことが可能となる。
【図面の簡単な説明】
【００１３】
【図１】本発明の実施例１であるカメラのフォーカスキャリブレーション動作を示すフローチャート。
【図２】実施例１のカメラ表示部におけるピント合わせ設定の表示例。
【図３】実施例１のカメラの位相差ＡＦ合焦制御処理を示すフローチャート。
【図４】実施例１のカメラ表示部におけるピント合わせ表示と被写体位置図。
【図５】実施例１のカメラの構成を示す図。
【発明を実施するための形態】
【００１４】
以下、本発明の実施例について図面を参照しながら説明する。
【００１５】
［実施例１］
図５には、本発明の実施例１であるデジタル一眼レフカメラ２と該カメラ２に対して交換が可能な交換レンズ１とにより構成されるカメラシステムの構成を示している。このカメラシステムは、位相差検出方式によるＡＦ処理（以下、位相差ＡＦという）を行うとともに、コントラスト検出方式による焦点検出結果を用いた位相差ＡＦの補正機能であるフォーカスキャリブレーション機能を有する。
【００１６】
交換レンズ１内には撮影光学系１０が収容されている。撮影光学系１０は、複数のレンズユニットや絞りにより構成される。複数のレンズユニットのうち不図示の変倍レンズユニット（以下、ズームレンズという）を光軸方向に移動させることで、焦点距離を変化させて変倍（ズーム）を行うことができる。また、複数のレンズユニットのうちフォーカスレンズユニット（以下、単にフォーカスレンズという）１０ａを光軸方向に移動させることで、ピント合わせを行うことができる。
【００１７】
レンズ駆動部１１は、ズームレンズやフォーカスレンズ１０ａを移動させるアクチュエータ、該アクチュエータの駆動回路およびアクチュエータの駆動力を各レンズに伝達する伝達機構が含まれる。レンズ状態検出部１２は、ズームレンズやフォーカスレンズ１０ａの位置を一定数に分割された検出手段によって、焦点距離情報とフォーカス距離情報を検出できる。
【００１８】
レンズ制御部１３は、ＣＰＵ等により構成され、後述するカメラ制御部４０からの指令に応じて交換レンズ１の動作を制御する。レンズ制御部１３は、電気接点１５のうち通信端子を介してカメラ制御部４０と通信可能に接続されている。また、交換レンズ１には、電気接点１５のうち電源端子を通じてカメラ２から電源が供給される。レンズ記憶部１４は、ＲＯＭ等により構成され、レンズ制御部１３での制御に用いられるデータや交換レンズ１の識別情報や撮影光学系１０の光学情報等の各種情報を記憶している。
【００１９】
カメラ２において、ハーフミラーで構成された主ミラー２０は、ユーザが被写体を光学ファインダを通して観察する光学ファインダ観察時には、図示のように撮影光路内のダウン位置に配置されて撮影光学系１０からの光をピント板３０に向けて反射する。また、主ミラー２０は、背面モニタ４３に電子ビューファインダ用の画像（ライブビュー画像）を表示するライブビュー観察時や記録用画像（静止画および動画）を生成する撮影時には、撮影光路から退避するアップ位置に回動する。これにより、撮影光学系１０からの光は、シャッタ２３および撮像素子２４に向かう。
【００２０】
サブミラー２１は、主ミラー２０とともに回動し、ダウン位置に配置された主ミラー２０を透過した光をＡＦセンサ２２に導く。また、主ミラー２０がアップ位置に回動すると、サブミラー２１も撮影光路から退避する。
【００２１】
ＡＦセンサ２２は、被写体から撮影光学系１０を通り、さらにサブミラー２１で反射して入射した光を用いて、カメラ２による撮影範囲内に設けられた複数の焦点検出領域において位相差検出方式による撮影光学系の焦点状態の検出（焦点検出）を行う。ＡＦセンサ２２は、各焦点検出領域からの光に一対の像（被写体像）を形成させる２次結像レンズと、該一対の被写体像を光電変換する一対の受光素子列が配置されたエリアセンサ（ＣＣＤ又はＣＭＯＳ）とを含む。エリアセンサの一対の受光素子列は、一対の被写体像の輝度分布に応じた光電変換信号である一対の像信号をカメラ制御部４０に出力する。エリアセンサ上には、複数の焦点検出領域に対応した複数対の受光素子列が２次元配置されている。
【００２２】
カメラ制御部４０は、一対の像信号の位相差を算出し、該位相差から撮影光学系１０の焦点状態（デフォーカス量）を算出する。さらに、カメラ制御部４０は、検出した撮影光学系１０の焦点状態に基づいて、撮影光学系１０の合焦状態を得るためにフォーカスレンズ１０ａを移動させるべき位置である合焦位置（第１の合焦位置：以下、位相差合焦位置という）を算出する。
【００２３】
そして、カメラ制御部４０は、算出した位相差合焦位置にフォーカスレンズ１０ａを移動させるようレンズ制御部１３にフォーカス指令を送信する。レンズ制御部１３は、受信したフォーカス指令に応じて、レンズ駆動部１１を介してフォーカスレンズ１０ａを位相差合焦位置に移動させる。これにより、撮影光学系１０の合焦状態が得られる。
【００２４】
このようにして、位相差検出方式による焦点状態の検出と、該焦点状態に基づく位相差合焦位置の算出と、該位相差合焦位置へのフォーカスレンズ１０ａの移動とを含む位相差ＡＦが行われる。
【００２５】
なお、ＡＦセンサ２２のエリアセンサにおいて受光素子が２次元配置されているため、撮影範囲内のうち同じ視野領域（例えば、中央領域）について、被写体の水平方向と垂直方向の輝度分布を検出して焦点検出を行うことが可能となる。これについては、後に詳しく説明する。
【００２６】
シャッタ２３は、光学ファインダ観察時には閉じ、ライブビュー観察時および動画撮影時には開放されて撮影光学系１０により形成された被写体像の撮像素子２４による光電変換（ライブビュー画像および撮影動画の生成）を可能とする。さらに、静止画撮影時には、設定されたシャッタ秒時で開閉し、撮像素子２４の露光を制御する。
【００２７】
撮像素子２４は、ＣＭＯＳイメージセンサ又はＣＣＤイメージセンサとその周辺回路により構成され、撮影光学系１０により形成された被写体像を光電変換してアナログ撮像信号を出力する。
【００２８】
ピント板３０は、撮像素子２４と等価な位置である撮影光学系１０の１次結像面に配置されている。光学ファインダ観察時には、ピント板３０上に、被写体像（ファインダー像）が形成される。ペンタプリズム３１は、ピント板３０上に形成された被写体像を正立正像に変換する。接眼レンズ３２は、正立正像をユーザに観察させる。ピント板３０、ペンタプリズム３１および接眼レンズ３２により光学ファインダが構成される。また、図５には示していないが、前記ファインダを覗いた状態でカメラの各種情報を確認出来るように、液晶（透過型含む）デバイスを使用したファインダ情報表示部が構成されている。
【００２９】
ＡＥセンサ３３は、ピント板３０からの光をペンタプリズム３１を介して受光し、該ピント板３０上に形成された被写体像の輝度を測定する。ＡＥセンサ３３は、複数のフォトダイオードを有し、カメラ２による撮影範囲を分割するように設定された複数の測光領域のそれぞれで輝度を測定することができる。
【００３０】
カメラ制御部４０は、ＭＰＵ等を含むマイクロコンピュータにより構成され、カメラ２と交換レンズ１からなるカメラシステム全体の動作を制御する。カメラ制御部４０は、前述したようにフォーカス制御手段として機能するとともに、後述するようにキャリブレーション手段および信頼度判定手段としても機能する。
【００３１】
デジタル制御部４１は、撮像素子２４からのアナログ撮像信号をデジタル撮像信号に変換し、さらに該デジタル撮像信号に対して各種処理を行って画像信号（画像データ）を生成する。撮像素子２４およびデジタル制御部４１により撮像系が構成される。
【００３２】
また、デジタル制御部４１は、画像信号から特定の周波数成分を抽出して該画像信号のコントラストを示すコントラスト評価値を生成する。そして、該コントラスト評価値が最大となるフォーカスレンズ１０ａの合焦位置を検出する。このようにしてコントラスト検出方式により合焦位置を検出する動作（ライブビュー観察時および動画撮影時のピント合わせを含む）をコントラストＡＦという。また、コントラストＡＦにより検出される合焦位置（第２の合焦位置）を、以下、コントラスト合焦位置という。
【００３３】
カメラ記憶部４２は、カメラ制御部４０やデジタル制御部４１の動作で用いられる各種データを記憶している。また、カメラ記憶部４２は、生成された記録用画像を保存する。背面モニタ４３は、液晶パネル等の表示素子により構成され、ライブビュー画像、記録用画像および各種情報を表示する。
【００３４】
なお、図５には示していないが、カメラ２にはレリーズスイッチが設けられている。
【００３５】
レリーズスイッチが半押し操作されると、不図示の第１スイッチ（ＳＷ１）がＯＮになり、ＡＦや測光が開始される。また、レリーズスイッチが全押し操作されると、不図示の第２スイッチ（ＳＷ２）がＯＮになり、撮影（記録用画像の生成）が行われる。
【００３６】
次に、カメラ２が有するフォーカスキャリブレーション機能（以下、ＡＦキャリブレーションという）について説明する。ＡＦキャリブレーションは、位相差検出方式により得られた位相差合焦位置を、該位相差合焦位置と前述したコントラストＡＦにより得られたコントラスト合焦位置との差に基づいて補正する機能である。このＡＦキャリブレーションの計算は、カメラ制御部４０が主として行う。
【００３７】
また、カメラ制御部４０は、信頼部判定手段として、ＡＦセンサ２２からの一対の像信号に関する情報を用いて、位相差ＡＦの対象となっている被写体に対する位相差ＡＦの信頼度を算出し、該信頼度が高いか低いかを判定する。本実施例にいう被写体に対する位相差ＡＦの信頼度とは、基本的には、被写体からの光を受光するＡＦセンサ２２からの一対の像信号を用いて得られるデフォーカス量（焦点状態）の信頼度である。ただし、位相差合焦位置はデフォーカス量から算出されるので、結果的に、位相差合焦位置の信頼度ということもできる。以下の説明において、被写体に対する位相差ＡＦの信頼度を、単に信頼度ともいう。
【００３８】
そして、本実施例では、一対の像信号に関する情報を用いて求められる、該信頼度を示す評価値として、特開２００７−０５２０７２号公報にて開示されているＳレベル（ＳＥＬＥＣＴ ＬＥＶＥＬ）値ＳＬを用いる。
【００３９】
カメラ制御部４０は、Ｓレベル値ＳＬが閾値以下又は閾値より小さい場合、すなわち信頼度が高い第１のレベルである場合はＡＦキャリブレーションを行う。一方、Ｓレベル値ＳＬが閾値より大きい又は閾値以上である場合、すなわち信頼度が第１のレベルよりも低い第２のレベルである場合はＡＦキャリブレーションを制限する。
【００４０】
本実施例では、ＡＦキャリブレーションに一般的な被写体を用いる。そして、上述したＳレベル値ＳＬを信頼度の評価値として用いることで、位相差ＡＦの被写体依存性を低減することができる。つまり、Ｓレベル値ＳＬを用いて信頼度が高い（第１のレベルである）と判定されれば、そのときの被写体は位相差ＡＦによって精度の高い合焦状態が得られるはずである。したがって、ＡＦキャリブレーションを行って（補正値を算出して）位相差合焦位置を補正することで、本来の高精度の合焦状態が得られるようにする。
【００４１】
一方、Ｓレベル値ＳＬを用いて信頼度が低い（第２のレベルである）と判定されたときは、そのときの被写体は位相差ＡＦによって良好な精度の合焦状態が得られない被写体である可能性が高い。したがって、ＡＦキャリブレーションを制限することで、ＡＦキャリブレーションによって誤った位相差合焦位置の補正が行われることを未然に回避する。ＡＦキャリブレーションを制限するとは、例えば、警告を表示したり、位相差合焦位置を補正するための補正値を作成しなかったり、ＡＦキャリブレーションを強制的にやり直させたりすることを意味する。
【００４２】
なお、信頼度の判定に、一対の像信号に関する（一対の像信号から得られる情報）情報の１つとして、デフォーカス量やＡＦセンサ２２における電荷蓄積時間の情報により信頼度を判定してもよい。
【００４３】
図１のフローチャートには、カメラ制御部４０が主として実行するＡＦキャリブレーションの処理を示している。カメラ制御部４０は、この処理および以下に説明する各処理を、コンピュータプログラムに従って実行する。
【００４４】
ステップＳ１０１では、ＡＦキャリブレーションによる位相差ＡＦのピント補正を作成する場合はステップＳ１０２へ進み、そうでない場合はステップＳ１１５の新規にピント補正を作成または使用しない通常撮影を行う。
【００４５】
ステップＳ１０２では、レンズ情報を用いるＡＦキャリブレーションを実施する場合は、ステップＳ１０３へ進み、既存方法でのピント補正を行う場合はステップＳ１０６へ進む。
【００４６】
ステップＳ１０３では、レンズ側の情報から焦点距離情報（ズーム可能レンズの場合はズーム位置情報）や絞り値情報、フォーカスレンズ位置情報と、当該レンズ個々の光学設計距離とを加味して、一時的に被写体距離を算出する。一時的な被写体距離情報とは、本実施例であるレンズ光学設計上の基準距離計算式を用い、当該レンズの解像力を含めた光学性能が保証されている距離を、本実施例におけるＡＦキャリブレーションを行う時の一時的被写体距離として規定する。前記距離は、式（１）のようになる。
【００４７】
ｄ（ｍ）＝（ｆ  ×  ｋ）／１０００・・・（１）
本実施例における光学基準係数ｋ（本実施例では５０とする）、一時的被写体距離ｄ（ｍ）、使用レンズの焦点距離ｆ（ｍｍ）とする。
【００４８】
ステップＳ１０４では、位相差ＡＦ制御でのフォーカスレンズ駆動に切り換えて、ステップＳ１０３で算出した一時的な被写体距離に相当するフォーカスレンズの停止位置を基準とするレンズ駆動を規定回数行い、その停止位置誤差がＯＫの判定となった場合はフォーカスレンズの停止位置を決定、記憶する。前記フォーカスレンズの停止位置誤差がＮＧ判定の場合はＡＦキャリブレーションを終了し、ステップＳ１１５通常撮影に戻る。フォーカスレンズの停止位置誤差の判定については後述する。
【００４９】
ステップＳ１０５では、ステップＳ１０４で記憶されたフォーカスレンズの停止位置で、ピント合わせを行う操作方法表示を行う。その表示例を図２に示す。図２の２０３は背面モニタ４３に表示されるＡＦ測距点を表し、図２（ａ）２０３は表示倍率が１倍設定の時で、図２（ｂ）２０３は表示倍率を５倍に設定した時の表示状態を表す。表示倍率を５倍に設定した時の操作方法は図２（ｂ）の２０２のように表示する。
【００５０】
次に、図１のステップＳ１０６では、ステップＳ１０５で設定した表示倍率で、図２（ｂ）のＡＦ測距枠２０３内のピントを確認しながら、図４（ａ）のカメラ４０１の位置を、図４（ａ）４０２〜４０４のように変更し、ピントが合う被写体を決定する。また、位相差ＡＦでのファインダ内でピント確認を行う場合の表示例を図４（ｂ）と（ｃ）に示す。ファインダ表示４０５内で、任意選択された測距点４０６で前記被写体に対し合焦させた時、フォーカスレンズ１０ａの停止位置を、前記ファインダ内のカメラ情報表示４０７内のブロック表示４０８の位置で判断する。前記ステップＳ１０４で記憶されたフォーカスレンズ１０ａの停止位置と一致する場合は、図４（ｂ）のようにカメラ情報表示４０７中央の三角マーク真下にブロック表示４０８を表示し、前記停止位置と不一致の場合は、フォーカスレンズの停止位置と連動して、カメラ情報表示４０７内で左右方向（＝被写体距離の遠＋、近−方向を示す）の何れかの位置にブロック表示４０８を表示させる。図４（ｃ）は、前記被写体距離に対し、近距離方向である場合を示す。
【００５１】
ステップＳ１０７では、ステップＳ１０６で決定した被写体及び被写体距離の状態で、ＴＶＡＦ合焦モードに切り替える。
【００５２】
ステップＳ１０８では、コントラストＡＦで合焦位置を検出するように、レンズ駆動制御を変更する。
【００５３】
ステップＳ１０９では、ステップＳ１０８で変更したレンズ駆動制御を行い、コントラストピークを検出した場合は、ステップＳ１１０へ進み、ピーク検出出来なかった場合は、再度、ステップＳ１０８へ戻り、コントラストピーク検出を規定回数繰り返す。
【００５４】
ステップＳ１１０では、ステップＳ１０９でコントラストピークを検出したフォーカスレンズの位置に停止させ、記憶する。
【００５５】
ステップＳ１１１では、位相差ＡＦでの測距を行い、フォーカスレンズの停止位置を記憶する。
【００５６】
ステップＳ１１２では、ステップＳ１１０とステップＳ１１１それぞれでのフォーカスレンズの停止位置の差分を計算し、位相差ＡＦ測距時のピント補正値を算出する。
【００５７】
ステップＳ１１３では、ステップＳ１１２で算出したピント補正値の表示と、そのピント補正値を入力出来る操作表示を、背面モニタ４３に表示する。
【００５８】
ステップＳ１１４では、ステップＳ１１３のピント補正値入力表示で入力されたピント補正値を、カメラ記憶部４２に記憶する。この時、ピント精度に影響する温度情報およびピント補正値を有効に活用するためのＧＰＳ位置情報を同時に記憶しても良い。
【００５９】
次に、ステップＳ１０４でのフォーカスレンズ１０ａの停止位置誤差判定について、図３を用いて説明する。
【００６０】
ステップＳ３０１では、ステップＳ１０３にて計算された一時的被写体距離に基づき、フォーカスレンズ１０ａの停止位置を予め分割されたフォーカスパルス信号から検出し、ピントが合う被写体距離に、フォーカスレンズ１０ａを駆動し停止させる。
【００６１】
ステップＳ３０２では、ステップＳ３０１で当該レンズが停止したフォーカスパルス位置を記憶する。
【００６２】
次にステップＳ３０３では、ステップＳ３０２で一時記憶されたフォーカスレンズ１０ａ位置を基準に、カメラ側からのレンズ駆動制御によって、フォーカスレンズ１０ａを至近端から前記位置と、無限端から前記位置の各１回の当該レンズ駆動と停止を行う。
【００６３】
ステップＳ３０４では、ステップＳ３０３でのフォーカスレンズ１０ａの停止位置が、ステップＳ３０２で記憶したフォーカスパルス位置と一致するかどうかを判定し、ＯＫならばステップＳ３０５へ進み、ＮＧであれば、ステップＳ３０６へ進む。ステップＳ３０６では、通常ＡＦキャリブレーションで行うかを判定し、行う場合はステップＳ１０７の被写体の決定へ、ＮＯの場合は、ステップＳ１１５の通常撮影へ移行する。
【００６４】
ステップＳ３０５では、ステップＳ３０４でＯＫとなったフォーカスレンズ１０ａの位置にて停止させる。
【００６５】
本実施例によれば、使い込まれたレンズのフォーカスレンズの停止位置誤差と、当該レンズの光学設計距離とを加味することで、レンズの撮影解像力が最も優れたフォーカス距離となるため、コントラストピーク検出不能によって複数回ＡＦキャリブレーション動作を行うことを回避出来、高精度なＡＦキャリブレーションによるピント補正値を得ることが出来る。
【００６６】
以上、本発明の好ましい実施形態について説明したが、本発明はこれらの実施形態に限定されず、その要旨の範囲内で種々の変形及び変更が可能である。
【００６７】
本発明によれば、信頼性の高いフォーカスキャリブレーションを行うことができるようにした撮像装置を提供できる。
【符号の説明】
【００６８】
１０  撮影光学系
１０ａ  フォーカスレンズ
１３  レンズ制御部
２２  ＡＦセンサ
２４  撮像素子
４０  カメラ制御部
４１  デジタル制御部
４３  背面モニタ
【図１】
2013231883.tif 000003
【図２】
2013231883.tif 000004
【図３】
2013231883.tif 000005
【図４】
2013231883.tif 000006
【図５】
2013231883.tif 000007